(57)【要約】【課題】  簡便な方法で車軸に車輪を取付けて余計な労力を必要とせずに舗道を走行することのできる歩行型管理作業機を提供する。【解決手段】  機体中央下部の耕耘軸１０の左右両端に車輪取付け孔２６を形成すると共に、この車輪取付け孔２６の周りに頭部２９が軸部２８より大きい複数本のピン２７を配列し、さらに前記耕耘軸１０に取り付けた耕耘爪１１の回転半径より径の大きい一対の車輪１３に取付け板２０を固定すると共に、この取付け板２０には車輪１３の車軸周りに複数個の円弧状の長孔２２を設け、この長孔２２に前記頭部２９より大きい挿入部２３を形成し、そして前記車輪１３の車軸を車輪取付け孔２６に挿通すると共に、前記頭部２９を長孔２２の挿入部２３に挿入し長孔２２に沿って車輪１３を旋回することにより一対の車輪１３を耕耘軸１０の左右両端に取付け自在にした。【選択図】図２
2006230213.tif 000002
【特許請求の範囲】
【請求項１】
機体中央の伝動ケースの下部出力側に挿通した耕耘軸の左右両端に車輪取付け孔を形成すると共に、この車輪取付け孔の周りに頭部が軸部より大きい複数本のピンを等間隔に配列し、
さらに前記耕耘軸に放射状に取り付けた耕耘爪の回転半径よりも径の大きい一対の車輪のそれぞれ片側に車輪と一体に取付け板を固定すると共に、この取付け板には車輪の車軸周りに複数個の円弧状の長孔を等間隔に設け、この長孔に前記ピンの頭部より大きい挿入部を形成し、
そして前記車輪の車軸を耕耘軸の車輪取付け孔に挿通すると共に、前記ピンの頭部を長孔の挿入部に挿入し長孔に沿って車輪を所定角度旋回することにより一対の車輪を耕耘軸の左右両端に取付け自在にしてなる歩行型管理作業機。
【請求項２】
前記挿入部は、長穴の途中部又は耕耘軸正転時において回転方向後ろ側に配置したことを特徴とする請求項１記載の歩行型管理作業機。
【発明の詳細な説明】
【技術分野】
【０００１】
本発明は、車軸と兼用の耕耘軸に耕耘爪を取付けて耕起作業を行なう歩行型管理作業機の改良に関するものである。
【背景技術】
【０００２】
従来、車軸と兼用の耕耘軸に耕耘爪を取付ける前進即耕型と呼ばれる小型の歩行型管理作業機は、舗道などを移動するときは、後部に装着した抵抗棒に車輪を取付けて尾輪を形成し、ハンドルを押し下げてロータ部を持上げた状態で尾輪で走行するか、車軸に装着した耕耘爪を取外し車輪に付替えて走行していた。
【０００３】
しかし、抵抗棒に車輪を取付け、ロータ部を持上げて手押しで走行するには労力が必要であるし、耕耘爪と車輪とを付替えるには、耕起作業と移動のたびに付替えの手間がかかるうえに、移動時には取外した耕耘爪を持運ばなければならず不便であるという問題があった。
【発明の開示】
【発明が解決しようとする課題】
【０００４】
本発明が解決しようとする問題点は、車軸と兼用の耕耘軸に耕耘爪を取付ける前進即耕型の歩行型管理作業機においては舗道などを走行させる際に車輪の取付けや移動などに労力と手間がかかっていた点である。すなわち本発明は、簡便な方法で車軸に車輪を取付けて余計な労力を必要とせずに舗道を走行することのできる歩行型管理作業機を提供する事を目的とする。
【課題を解決するための手段】
【０００５】
上記課題を解決するために、本発明は、請求項１記載のごとく、機体中央の伝動ケースの下部出力側に挿通した耕耘軸の左右両端に車輪取付け孔を形成すると共に、この車輪取付け孔の周りに頭部が軸部より大きい複数本のピンを等間隔に配列し、さらに前記耕耘軸に放射状に取り付けた耕耘爪の回転半径よりも径の大きい一対の車輪のそれぞれ片側に車輪と一体に取付け板を固定すると共に、この取付け板には車輪の車軸周りに複数個の円弧状の長孔を等間隔に設け、この長孔に前記ピンの頭部より大きい挿入部を形成し、そして前記車輪の車軸を耕耘軸の車輪取付け孔に挿通すると共に、前記ピンの頭部を長孔の挿入部に挿入し長孔に沿って車輪を旋回することにより一対の車輪を耕耘軸の左右両端に取付け自在にしたことを特徴とする。
【０００６】
請求項２記載のごとく、前記挿入部は、耕耘軸正転時において回転方向前側に長穴部分を有する。
【発明の効果】
【０００７】
請求項１記載のごとく、耕耘軸の最外端両側に連結部を設けるとともに車輪に取付け板を設けたことにより、耕耘爪を取付けたままで耕耘軸に車輪を連結できるため、移動の際に耕耘爪を取外して持ち運ぶ必要がなく、また、車輪を駆動して楽に走行することができる。さらに、ピンの軸部よりも頭部を大きく形成したことにより、この頭部が長穴の縁に係止してピンが抜けて脱輪することがない。さらに、連結軸がピンよりも長く形成されているため、まず取付け板の連結軸を車輪取付け孔に挿入して互いの中心を合わせてから、いずれかを回転させてピンを挿入部に差込むことができ、簡便に車輪を耕耘軸に連結することができる。
【０００８】
請求項２記載のごとく、長穴の途中部又は耕耘軸正転時後ろ側に挿入部を設けたことにより、耕耘軸に車輪を取付けて駆動しても走行時にピンは長穴の前端部に位置するため、走行時に挿入部からピンが抜けて脱輪するのを防ぐことができる。
【発明を実施するための最良の形態】
【０００９】
以下、本発明に係る歩行型管理作業機について、図１乃至図４を参照して説明する。図１は本発明に係る歩行型管理作業機の全体側面図である。
【００１０】
管理作業機１は、機体フレーム２にエンジン３を搭載し、機体中央の下方に延出する伝動ケース４の下部に耕耘作業部５を設けるとともに耕耘作業部の左右外端に車輪１３を取付けて、ハンドル６によって操向する。エンジン３からの動力はギヤケース７と伝動ケース４を介して耕耘作業部５に伝えられる。また、機体フレーム２の後部には抵抗棒８が取付けられており、耕耘作業時には車輪１３を取外して抵抗棒８を地中に押付けながら前方に走行する。
【００１１】
図２は耕耘作業部５の正面図である。
伝動ケース４の左右に突設した耕耘軸１０には耕耘爪１１が放射状に取付けられている。さらに、耕耘軸１０の外端両側には耕耘時に直進性を出すためのディスク１２が取付けられ、ディスク１２の左右外側に車輪１３が取付けられている。この車輪１３の径は耕耘爪１１及びディスク１２の径よりも大きく形成される。
【００１２】
以下、車輪１３とディスク１２との取付機構について図３乃至図６を参照して説明する。図３は車輪１３の内側面に取付けられた取付け板２０を示す図であり、図４は取付け板２０の側面図である。
【００１３】
車輪１３の内側面には取付け板２０が設けられている。取付け板２０は、中心に連結軸２１を突設し、この連結軸２１の周りに３つの円弧状の長穴２２を設けて周を３等分する位置に配置すると共に長穴２２の一端をさらに大きく円形状に切り欠いて挿入部２３を形成してなる。挿入部２３は、機体が前方に進行する向きである耕耘軸１０の正転時に回転方向の後ろ側になるように形成するか、または長穴２２の略中央に形成するとよい。
【００１４】
次にディスク１２の連結部２５について図５及び図６を参照して説明する。図５はディスク１２の外側面を示す図であり、図６はディスクの断面図である。
【００１５】
ディスク１２の外側面に連結部２５が設けられている。連結部２５は中心に設けられた車輪取付け孔２６の周りに３本のピン２７を突設し、各ピン２７を周を等分するように配置して形成する。ピン２７は、軸部２８と、これよりも大きく形成された頭部２９を有している。この頭部２９は挿入部２３よりは小さく、かつ長穴２２よりは大きく形成して、取付け板２０に設けられた挿入部２３を通過し、挿入部２３の他の長穴２２の部分では通過しないようにする。また、ピン２７は取付け板２０の連結軸２１よりも短く形成するとよい。
【００１６】
このようにして形成したディスク１２と取付け板２０は、取付け板２０の連結軸２１をディスク１２の車輪取付け孔２６に挿入すると共にディスク１２のピン２７を取付け板２０の長穴２２の挿入部２３から差込み、長穴２２に沿ってピン２７を回転させて連結する。
【００１７】
上記のごとく構成した歩行型管理作業機１は以下のような効果を奏する。
【００１８】
耕耘軸１０に耕耘爪１１を取付けたままで車輪１３を連結できるため、取外した耕耘爪を持ち運ぶ必要がなく、また、耕耘軸１０に車輪１３を取付けているため楽に走行することができる。
【００１９】
ピン２７の頭部２９が長穴２２の幅よりも大きく形成されて長穴２２や挿入部２３の縁に係止するためピン２７が抜けて脱輪するおそれがほとんどない。さらに、挿入部２３が正転時に回転方向の後ろ側又は長穴２２の途中部に配置されているため走行時にピン２７が抜けるおそれはない。
【００２０】
また、連結軸２１がピン２７よりも長く形成されているため、まず取付け板２０の連結軸２１をディスク１２の車輪取付け孔２６に挿入して互いの中心を合わせてから、いずれかを回転させてピン２７を挿入部２３に差込むことができ、ディスク１２と車輪１３とを簡便に連結することができる。
【００２１】
本実施例においては耕耘軸１０の最外端両側に連結部２５を有するディスク１２を取付け、ディスク１２の外側に車輪１３を設けたが、耕耘軸１０の最外端両側に連結部を有する別の金具や、連結部を備えた棒爪や左右非対称の側板などのその他のアタッチメントを取付けてもよい。また、ピン２７及び長穴２２は３つ設けたが、２つ又は４つ以上設けてそれぞれが係合するように配置してもよい。さらに、本実施例では連結部２５にピン２７を突設し、取付け板２０に長穴２２を設けたが、連結部２５に長穴２２を設け、取付け板２０にピン２７を突設する構成であってもよい。
【図面の簡単な説明】
【００２２】
【図１】本発明に係る管理作業機の側面図である。
【図２】耕耘作業部の正面図である。
【図３】車輪の内側面を示す図である。
【図４】取付け板の側面図である。
【図５】ディスクの外側面を示す図である。
【図６】ディスクの断面図である。
【符号の説明】
【００２３】
１    管理作業機
１０  耕耘軸
１１  耕耘爪
１２  ディスク
１３  車輪
２０  取付け板
２１  連結軸
２２  長穴
２３  差込部
２５  連結部
２６  車輪取付け孔
２７  ピン
２８  軸部
２９  頭部
【図１】
2006230213.tif 000003
【図３】
2006230213.tif 000004
【図４】
2006230213.tif 000005
【図５】
2006230213.tif 000006
【図６】
2006230213.tif 000007
【図２】
2006230213.tif 000008